【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
画像処理装置であって、
画像データに基づいた画像が色材により形成される記録媒体の紙種を特定する紙種特定部と、
前記画像データに含まれる主走査方向ラインを検出するライン検出部と、
前記主走査方向ラインの品位低下を防止するための画像処理を前記画像データに適用するライン画像処理部と、
前記ライン画像処理部が前記画像処理に使用する画像処理パラメータを前記記録媒体の紙種に対応した画像処理パラメータに決定する決定部と
を含むことを特徴とする画像処理装置。
【請求項２】
前記画像処理パラメータは、
前記主走査方向ラインの一部を前記記録媒体の上に形成させないように前記画像データを変換するパラメータであることを特徴とする請求項１に記載の画像処理装置。
【請求項３】
前記画像処理パラメータは、前記画像データに適用されるパターンデータを含むことで、前記主走査方向ラインの少なくとも内部を形成するための色材の使用量を削減することを特徴とする請求項２に記載の画像処理装置。
【請求項４】
前記決定部は、
それぞれ異なる画像処理パラメータを用いて特定のライン画像を印刷された特定の紙種の記録媒体から読み取られた各ライン画像の品質を評価する評価部を含み、
前記決定部は、前記評価部の評価結果に対応した画像処理パラメータを前記特定の紙種用の画像処理パラメータに決定することを特徴とする請求項１ないし３のいずれか１項に記載の画像処理装置。
【請求項５】
前記評価部は、ＩＳＯ１３６６０に規定されているブラー、ラゲッドネス及びフィルのうち少なくとも１つについて評価することを特徴とする請求項４に記載の画像処理装置。
【請求項６】
前記決定部は、
それぞれ異なる画像処理パラメータを用いて特定のライン画像を印刷された特定の紙種の記録媒体から読み取られた各ライン画像の濃度が閾値以上であるか否かを判定する濃度判定部と、
前記記録媒体に印刷された各ライン画像のライン幅が所定範囲内であるか否かを判定するライン幅判定部と、
前記記録媒体に印刷された各ライン画像のブラーが閾値以下であるか否かを判定するブラー判定部と、
前記それぞれ異なる画像処理パラメータ間で、元の画像データから画像を間引くための間引き量を比較する比較部と、
前記濃度判定部の判定結果、前記ライン幅判定部の判定結果、前記ブラー判定部の判定結果及び前記比較部の比較結果に対応した画像処理パラメータを、前記それぞれ異なる画像処理パラメータから前記特定の紙種用の画像処理パラメータとして選択する選択部と
を含むことを特徴とする請求項１ないし３のいずれか１項に記載の画像処理装置。
【請求項７】
前記選択部は、
前記濃度判定部が使用する判定条件を１番目に優先し、前記ライン幅判定部が使用する判定条件を２番目に優先し、前記ブラー判定部が使用する判定条件を３番目に優先し、前記比較部の比較条件を４番目に優先することで、前記特定の紙種用の画像処理パラメータを選択することを特徴とする請求項６に記載の画像処理装置。
【請求項８】
前記決定部は、
それぞれ異なる画像処理パラメータを用いて特定のライン画像を印刷された特定の紙種の記録媒体から読み取られた各画像の濃度が閾値以上であるか否かを判定する濃度判定部と、
前記記録媒体に印刷された各ライン画像のライン幅が所定範囲内であるか否かを判定するライン幅判定部と、
前記記録媒体に印刷された各ライン画像のブラーが閾値以下であるか否かを判定するブラー判定部と、
前記記録媒体に印刷された各ライン画像のがたつきを表すラゲッドネスが閾値以下であるか否かを判定するがたつき判定部と、
前記それぞれ異なる画像処理パラメータに含まれる、元の画像データから画像を間引くための間引き量を比較する比較部と、
前記濃度判定部の判定結果、前記ライン幅判定部の判定結果、前記ブラー判定部の判定結果、前記がたつき判定部の判定結果及び前記比較部の比較結果に対応した画像処理パラメータを、前記それぞれ異なる画像処理パラメータから前記特定の紙種用の画像処理パラメータとして選択する選択部と
を含むことを特徴とする請求項１ないし３のいずれか１項に記載の画像処理装置。
【請求項９】
前記選択部は、
前記濃度判定部が使用する判定条件を１番目に優先し、前記ライン幅判定部が使用する判定条件を２番目に優先し、前記ブラー判定部が使用する判定条件を３番目に優先し、前記がたつき判定部が使用する判定条件を４番目に優先し、前記比較部の比較条件を５番目に優先することで、前記特定の紙種用の画像処理パラメータを選択することを特徴とする請求項８に記載の画像処理装置。
【請求項１０】
前記決定部は、
それぞれ異なる画像処理パラメータを用いて特定のライン画像を印刷された特定の紙種の記録媒体から読み取られた各画像の濃度が閾値以上であるか否かを判定する濃度判定部と、
前記記録媒体に印刷された各ライン画像のライン幅が所定範囲内であるか否かを判定するライン幅判定部と、
前記記録媒体に印刷された各ライン画像のブラーが閾値以下であるか否かを判定するブラー判定部と、
前記記録媒体に印刷された各ライン画像のがたつきを表すラゲッドネスが閾値以下であるか否かを判定するがたつき判定部と、
前記記録媒体に印刷された各ライン画像の中抜けを表すフィルが閾値以下であるか否かを判定する中抜け判定部と、
前記それぞれ異なる画像処理パラメータに含まれる、元の画像データから画像を間引くための間引き量を比較する比較部と、
前記濃度判定部の判定結果、前記ライン幅判定部の判定結果、前記ブラー判定部の判定結果、前記がたつき判定部の判定結果、前記中抜け判定部の判定結果及び前記比較部の比較結果に対応した画像処理パラメータを、前記それぞれ異なる画像処理パラメータから前記特定の紙種用の画像処理パラメータとして選択する選択部と
を含むことを特徴とする請求項１ないし３のいずれか１項に記載の画像処理装置。
【請求項１１】
前記選択部は、
前記濃度判定部が使用する判定条件を１番目に優先し、前記ライン幅判定部が使用する判定条件を２番目に優先し、前記ブラー判定部が使用する判定条件を３番目に優先し、前記がたつき判定部が使用する判定条件を４番目に優先し、前記中抜け判定部が使用する条件を５番目に優先し、前記比較部の比較条件を６番目に優先することで、前記特定の紙種用の画像処理パラメータを選択することを特徴とする請求項１０に記載の画像処理装置。
【請求項１２】
任意の紙種用に選択された画像処理パラメータが変更されると、他の紙種用の画像処理パラメータも変更する変更部をさらに含むことを特徴とする請求項１ないし１１のいずれか１項に記載の画像処理装置。
【請求項１３】
前記変更部は、
前記任意の紙種用の画像処理パラメータが所定レベル変更されると、他の紙種用の画像処理パラメータも該所定レベルだけ変更することを特徴とする請求項１２に記載の画像処理装置。
【請求項１４】
画像形成装置であって、
請求項１ないし１３のいずれか１項に記載の画像処理装置を含むことを特徴とする画像形成装置。
【請求項１５】
画像処理方法であって、
画像データに基づいた画像が色材により形成される記録媒体の紙種を紙種特定部が特定するステップと、
前記画像データに含まれる主走査方向ラインをライン検出部が検出するステップと、
前記主走査方向ラインの品位低下を防止するための画像処理をライン画像処理部が前記画像データに適用するステップと、
前記画像処理に使用される画像処理パラメータを前記記録媒体の紙種に対応した画像処理パラメータに決定部が決定するステップと
を含むことを特徴とする画像処理方法。